(57)【要約】【課題】メモリＩＤのコード桁数に制限がある場合でも製品の識別姓を確保することができる製品捺印ＩＤの生成システム及び生成方法を提供する。【解決手段】本発明は、製品を識別するための識別情報を示す捺印ＩＤを生成する生成システム及び生成方法であって、製品の構成部材に組み込まれるメモリからメモリＩＤを読み込むＩＤ読み込み手段と、製品の生産を行った生産年月日に関する生産日情報と、メモリＩＤとを読み込み、捺印ＩＤを生成するＩＤ生成部と、を備え、ＩＤ生成部が、メモリＩＤを所定数で進数化することで、桁数を減らし、かつ、生産日情報を構成するコードの一部の桁数のみを所定数で進数化し、進数化した前記メモリＩＤと前記生産日情報とを組み合わせることで捺印ＩＤを生成する。【選択図】図３
2008123405.tif 000002
【特許請求の範囲】
【請求項１】
製品を識別するための識別情報を示す捺印ＩＤを生成する生成システムであって、
前記製品の構成部材に組み込まれるメモリからメモリＩＤを読み込むＩＤ読み込み手段と、
前記製品の生産を行った生産年月日に関する生産日情報と、前記メモリＩＤとを読み込み、捺印ＩＤを生成するＩＤ生成部と、を備え、
前記ＩＤ生成部が、前記メモリＩＤを所定数で進数化することで、桁数を減らし、かつ、前記生産日情報を構成するコードの一部の桁数のみを前記所定数で進数化し、進数化した前記メモリＩＤと前記生産日情報とを組み合わせることで捺印ＩＤを生成することを特徴とする生成システム。
【請求項２】
磁気テープカートリッジ製品を識別するための識別情報を示す捺印ＩＤを生成する生成システムであって、
カートリッジケースに組み込まれるカートリッジメモリからカートリッジメモリＩＤを読み込むＩＤ読込手段と、
前記カートリッジ製品の生産を行った生産年月日に関する生産日情報と、前記メモリＩＤとを読み込み、捺印ＩＤを生成するＩＤ生成部と、を備え、
前記ＩＤ生成部が、前記カートリッジメモリＩＤを所定数で進数化することで、桁数を減らし、かつ、前記生産日情報を構成するコードの一部の桁数のみを前記所定数で進数化し、進数化した前記カートリッジメモリＩＤと前記生産日情報とを組み合わせることで捺印ＩＤを生成することを特徴とする生成システム。
【請求項３】
前記カートリッジメモリＩＤが８桁のコードであって、前記ＩＤ生産部が前記カートリッジメモリＩＤをＨｅｘ変換してから３０進数７桁に変換する機能を有していることを特徴とする請求項２に記載の生成システム。
【請求項４】
前記生産日情報が、生産した西暦を示す４桁と生産した月日を示す４桁とからなる８桁であって、西暦を示す４桁の下２桁と、生産した月日から算出される年日数３桁との合計を３０進数２桁に変換する機能を有していることを特徴とする請求項２に記載の生成システム。
【請求項５】
前記ＩＤ生成部が、予め入力された、誤認識しやすい文字を指定したコード化不可データに基づいて、前記文字を除いて捺印ＩＤを生成することを特徴とする請求項２から４のいずれか１つに記載の生成システム。
【請求項６】
製品を識別するための識別情報を示す捺印ＩＤを生成する生成方法であって、
前記製品の構成部材に組み込まれるメモリからメモリＩＤを読み込むＩＤ読込工程と、
前記製品の生産を行った生産年月日に関する生産日情報と、前記メモリＩＤとを、捺印ＩＤを生成するＩＤ生成部に入力する入力工程と、
前記ＩＤ生成部で捺印ＩＤを生成するＩＤ生成工程とを有し、
前記ＩＤ生成工程が、さらに、前記メモリＩＤを所定数で進数化することで、桁数を減らし、かつ、前記生産日情報を構成するコードの一部の桁数のみを前記所定数で進数化し、進数化した前記メモリＩＤと前記生産日情報とを組み合わせることで捺印ＩＤを生成する工程を有することを特徴とする生成方法。
【請求項７】
磁気テープカートリッジ製品を識別するための識別情報を示す捺印ＩＤを生成する生成方法であって、
カートリッジケースに組み込まれるカートリッジメモリからカートリッジメモリＩＤを読み込むＩＤ読込工程と、
前記カートリッジ製品の生産を行った生産年月日に関する生産日情報と、前記メモリＩＤとを読み込み、捺印ＩＤを生成するＩＤ生成部に入力する入力工程と、
前記ＩＤ生成部で捺印ＩＤを生成するＩＤ生成工程とを備え、
前記ＩＤ生成工程が、さらに、前記カートリッジメモリＩＤを所定数で進数化することで、桁数を減らし、かつ、前記生産日情報を構成するコードの一部の桁数のみを前記所定数で進数化し、進数化した前記カートリッジメモリＩＤと前記生産日情報とを組み合わせることで捺印ＩＤを生成する工程を有することを特徴とする生成方法。
【請求項８】
前記カートリッジメモリＩＤが８桁のコードであって、前記ＩＤ生産部によって前記カートリッジメモリＩＤをＨｅｘ変換してから３０進数７桁に変換する工程を有していることを特徴とする請求項７に記載の生成方法。
【請求項９】
前記生産日情報が生産した西暦を示す４桁と生産した月日を示す４桁とからなる８桁であって、西暦を示す４桁の下２桁と、生産した月日から算出される年日数３桁との合計を３０進数２桁に変換する工程を有していることを特徴とする請求項７に記載の生成方法。
【請求項１０】
前記ＩＤ生成部が、予め入力された、誤認識しやすい文字を指定したコード化不可データに基づいて、前記文字を除いて捺印ＩＤを生成する工程を特徴とする請求項７から９のいずれか１つに記載の生成方法。
【発明の詳細な説明】
【技術分野】
【０００１】
本発明は、磁気テープカートリッジ等の製品に識別表示のために捺印するＩＤを生成する生成システム及び生成方法に関する。
【背景技術】
【０００２】
従来、製品ごとに、製品種類、製造工程、生産履歴を識別するための識別情報として捺印ＩＤが生成され、その製品の外部パッケージに付加されているものがある。図１２は、製品パッケージに付されるＱＲコードである。図１３は、図１２に示すＱＲコードに含まれる製品の情報を説明する図である。
【０００３】
例えば、磁気記録媒体である磁気テープを収納する１リールタイプのカートリッジのLTOは、図１２に示すＱＲコードを２次元情報として読み込み、画像処理することで、図１３の数字コードのような１０桁のコードを生成し、カートリッジケース本体に収容されているカートリッジメモリに書き込まれているＩＤ情報（以下、ＣＭＩＤともいう。）と組み合わせることで、各製品を識別するために十分なコード桁数を確保している。製品に識別情報を付加するものとしては、下記特許文献のものがある。
【０００４】
【特許文献１】特開２００５−２１４６９４号公報
【発明の開示】
【発明が解決しようとする課題】
【０００５】
ところで、例えば、LTOG1,2,3、3590/3592系、9840/9940系等の磁気テープカートリッジの製品ように、いわゆるV0方式の生産方法では、カートリッジケースにＱＲコードを印刷しなくても、カートリッジメモリのＣＭＩＤに識別情報を書き込むことで、QRコードの印刷が不要とすることができる。しかし、ＣＭＩＤは、通常、８桁であるため、製品ごとの識別情報を付加するには桁数が足りず、識別性を確保することができなかった。このように、製品によっては、製品本体に備わっているメモリＩＤでは、コード数が足りないことを理由に、識別性が確保できないことがあった。
【０００６】
本発明は、上記事情に鑑みてなされたもので、その目的は、メモリＩＤのコード桁数に制限がある場合でも製品の識別姓を確保することができる製品捺印ＩＤの生成システム及び生成方法を提供することにある。
【課題を解決するための手段】
【０００７】
本発明の上記目的は、下記構成によって達成される。
（１）製品を識別するための識別情報を示す捺印ＩＤを生成する生成システムであって、前記製品の構成部材に組み込まれるメモリからメモリＩＤを読み込むＩＤ読み込み手段と、前記製品の生産を行った生産年月日に関する生産日情報と、前記メモリＩＤとを読み込み、捺印ＩＤを生成するＩＤ生成部と、を備え、前記ＩＤ生成部が、前記メモリＩＤを所定数で進数化することで、桁数を減らし、かつ、前記生産日情報を構成するコードの一部の桁数のみを前記所定数で進数化し、進数化した前記メモリＩＤと前記生産日情報とを組み合わせることで捺印ＩＤを生成することを特徴とする生成システム。
（２）磁気テープカートリッジ製品を識別するための識別情報を示す捺印ＩＤを生成する生成システムであって、カートリッジケースに組み込まれるカートリッジメモリからカートリッジメモリＩＤを読み込むＩＤ読込手段と、前記カートリッジ製品の生産を行った生産年月日に関する生産日情報と、前記メモリＩＤとを読み込み、捺印ＩＤを生成するＩＤ生成部と、を備え、前記ＩＤ生成部が、前記カートリッジメモリＩＤを所定数で進数化することで、桁数を減らし、かつ、前記生産日情報を構成するコードの一部の桁数のみを前記所定数で進数化し、進数化した前記カートリッジメモリＩＤと前記生産日情報とを組み合わせることで捺印ＩＤを生成することを特徴とする生成システム。
（３）前記カートリッジメモリＩＤが８桁のコードであって、前記ＩＤ生産部が前記カートリッジメモリＩＤをＨｅｘ変換してから３０進数７桁に変換する機能を有していることを特徴とする上記（２）に記載の生成システム。
（４）前記生産日情報が、生産した西暦を示す４桁と生産した月日を示す４桁とからなる８桁であって、西暦を示す４桁の下２桁と、生産した月日から算出される年日数３桁との合計を３０進数２桁に変換する機能を有していることを特徴とする上記（２）に記載の生成システム。
（５）前記ＩＤ生成部が、予め入力された、誤認識しやすい文字を指定したコード化不可データに基づいて、前記文字を除いて捺印ＩＤを生成することを特徴とする上記（２）から（４）のいずれか１つに記載の生成システム。
（６）製品を識別するための識別情報を示す捺印ＩＤを生成する生成方法であって、前記製品の構成部材に組み込まれるメモリからメモリＩＤを読み込むＩＤ読込工程と、前記製品の生産を行った生産年月日に関する生産日情報と、前記メモリＩＤとを、捺印ＩＤを生成するＩＤ生成部に入力する入力工程と、前記ＩＤ生成部で捺印ＩＤを生成するＩＤ生成工程とを有し、前記ＩＤ生成工程が、さらに、前記メモリＩＤを所定数で進数化することで、桁数を減らし、かつ、前記生産日情報を構成するコードの一部の桁数のみを前記所定数で進数化し、進数化した前記メモリＩＤと前記生産日情報とを組み合わせることで捺印ＩＤを生成する工程を有することを特徴とする生成方法。
（７）磁気テープカートリッジ製品を識別するための識別情報を示す捺印ＩＤを生成する生成方法であって、カートリッジケースに組み込まれるカートリッジメモリからカートリッジメモリＩＤを読み込むＩＤ読込工程と、前記カートリッジ製品の生産を行った生産年月日に関する生産日情報と、前記メモリＩＤとを読み込み、捺印ＩＤを生成するＩＤ生成部に入力する入力工程と、前記ＩＤ生成部で捺印ＩＤを生成するＩＤ生成工程とを備え、前記ＩＤ生成工程が、さらに、前記カートリッジメモリＩＤを所定数で進数化することで、桁数を減らし、かつ、前記生産日情報を構成するコードの一部の桁数のみを前記所定数で進数化し、進数化した前記カートリッジメモリＩＤと前記生産日情報とを組み合わせることで捺印ＩＤを生成する工程を有することを特徴とする生成方法。
（８）前記カートリッジメモリＩＤが８桁のコードであって、前記ＩＤ生産部によって前記カートリッジメモリＩＤをＨｅｘ変換してから３０進数７桁に変換する工程を有していることを特徴とする上記（７）に記載の生成方法。
（９）前記生産日情報が生産した西暦を示す４桁と生産した月日を示す４桁とからなる８桁であって、西暦を示す４桁の下２桁と、生産した月日から算出される年日数３桁との合計を３０進数２桁に変換する工程を有していることを特徴とする上記（７）に記載の生成方法。
（１０）前記ＩＤ生成部が、予め入力された、誤認識しやすい文字を指定したコード化不可データに基づいて、前記文字を除いて捺印ＩＤを生成する工程を特徴とする上記（７）から（９）のいずれか１つに記載の生成方法。
【０００８】
本発明は、製品に組み込まれたメモリＩＤと、製品の生産日情報とに基づき、捺印ＩＤを生成するものである。捺印ＩＤを生成するため、メモリＩＤ及び生産日情報のコードをそれぞれ同じ所定数で進数化することで、製品の識別情報を表すのに最適な桁数に変換しているため、コードの桁数が制限されたメモリＩＤのみに基づいて捺印ＩＤを生成することが可能である。また、他のＩＤを必要とすることがないため、メモリＩＤの読み込み手段以外の読み込む装置を設ける必要がない。さらに、捺印ＩＤを生成するための基となるＩＤ情報を増加させることがないため、情報処理量の増大を回避することができる。
【発明の効果】
【０００９】
本発明によれば、メモリＩＤのコード桁数に制限がある場合でも製品の識別姓を確保することができる製品捺印ＩＤの生成システム及び生成方法を提供できる。
【発明を実施するための最良の形態】
【００１０】
以下、本発明にかかる製品を識別するための識別情報を示す捺印ＩＤを生成する生成システム及び生成方法の実施形態を図面に基づいて詳しく説明する。本実施形態では、製品の一例として、磁気記録媒体である磁気テープを収容する磁気テープカートリッジ製品を用いて説明する。
【００１１】
図１は、本実施形態のカートリッジ製品を示す図である。図１に示すように、磁気テープカートリッジ１は、概略的に、プラスチックなどの樹脂によって成型されたカセットハーフ２と、上カセットハーフ３とからなるカートリッジケースの中に、磁気テープが巻き取られたテープリール４を収容するように構成されている。下カセットハーフ２及び上カセットハーフ３には、磁気記録再生時に磁気テープを外へ引き出すための開口部が形成され、開口部を開閉自在に取り付けられたシャッタ６が設けられている。また、磁気テープカートリッジ１のカセットケースには、製品のカートリッジメモリＩＤ（以下、ＣＭＩＤともいう。）が記録されたカートリッジメモリ８が内蔵されている。
【００１２】
図２は、カートリッジメモリの構成を示す図である。カートリッジメモリ８は、略矩形状の部材であって、その一部にＩＣチップ８ａが形成され、その他の部位に、アンテナ配線部８ｂが形成されている。なお、カートリッジメモリ８の形状や構成は特に限定されず、後述するＣＭＩＤを記録することができる構成であれば、適宜変形してもよい。
【００１３】
磁気テープカートリッジの製品を製造する生産工程は、主に、サーボライト工程と、巻き込み工程と、組立工程と、検査工程と、集積とを有している。
【００１４】
サーボライト工程では、サーボライタなどのサーボ信号書き込み装置によって、パンケーキと称される磁気テープの原反の磁気テープにサーボ信号を書き込む処理が行われる。本実施形態において、サーボ信号書き込み装置が製品情報記録手段として機能する。
【００１５】
テープ巻き込み工程では、サーボライト工程でサーボ信号が書き込まれた磁気テープをワインダーなどのテープ巻き込み装置を用いて、予め装置に保持された空のテープリールに巻き込んでいく処理が行われる。なお、巻き込み工程では、通常、複数台のテープ巻き込み装置が、同時に使用される。
【００１６】
組立工程では、サーボライト工程でサーボ信号を書き込まれた原反から磁気テープを取り出した後、テープ巻き込み装置にセットし、巻き込み工程においてテープリールに巻回する。巻き込みが終了した後、組み立て磁気テープが巻回されたテープリールを下カセットハーフ２に載せ、シャッタ６やカートリッジメモリ８を組み付け、下カセットハーフ２及び上カセットハーフ３をビスなどで互いに固定し、カートリッジケースを組み立てる。
【００１７】
検査工程では、磁気テープにデータの書き込み及び読み取りの試験を行い、記録特性の不良の有無を検査する工程である。検査されたカートリッジケースは、所定の位置に搬送されて集積される。
【００１８】
図３は、本実施形態の捺印ＩＤの生成システムの構成を説明する図である。生産システムは、磁気テープカートリッジ１のカートリッジメモリ８からＣＭＩＤを読み込み読み込み手段として機能するＣＭＩＤ読込装置１２と、ＣＭＩＤ読込装置１２で読み込まれたＣＭＩＤが入力されるＣＭＩＤ入力部１４と、カートリッジ製品の生産を行った生産年月日に関する生産日情報が入力される生産日情報入力部１６とを備えている。
【００１９】
また、生成システムは、ＣＭＩＤ入力部１４からＣＭＩＤを読み込み、また、生産日情報入力部１６から生産日情報を読み込むＩＤ生成部とを備えている。なお、ＣＭＩＤ及び生産日情報は、予めデータベース２４に蓄積させておき、捺印ＩＤ生成時に、ＩＤ生成部がデータベース２４から読み込むようにしてもよい。また、ＣＭＩＤ読み込み装置１２で読み込まれたＣＭＩＤが、一旦、データベース２４に蓄積されてもよい。
【００２０】
ＩＤ生成部２２と捺印装置２６とが信号出力可能に接続され、ＩＤ生成部２２で生成された捺印ＩＤが捺印装置２６に出力されることで、捺印装置２６がカートリッジ製品に捺印を実行する機能を有していもよい。捺印装置２６は、カートリッジ製品の外部表面にホットスタンプ等の捺印印刷を行う。
【００２１】
ＣＭＩＤ入力部１４，生産日情報入力部１６，データベース２４及び捺印装置２６が、ＬＡＮ（Local Area Network）回線などを経由してＩＤ生成部２２に接続されていてもよい。
【００２２】
ＣＭＩＤ読込装置１２、ＩＤ生成部２２、捺印装置２６のうち、いずれか又は全部が、カートリッジ製品の生産工程のいずれかに設けられている構成としてもよい。
【００２３】
次に、本実施形態の捺印ＩＤの生成方法の手順を説明する。図４は、捺印ＩＤの生成方法の手順を示すフローチャートである。図５は、捺印ＩＤの生成方法の手順を説明する図である。以下の生成方法では、上記生成システムに基づいてカートリッジ製品に捺印する捺印ＩＤを生成する手順を一例に説明するものとし、図３を適宜参照する。最初に、カートリッジメモリからＣＭＩＤを読み込み、また、別途使用者や装置自体よって設定された生産年月日を読み込むＩＤ読込工程を実行する。そして、読み込みしたＣＭＩＤ及び生産年月日をＩＤ生成部２２に入力する入力工程を実行する（ステップＳ１１）。このとき、データベース２４に予め蓄積させたＣＭＩＤ及び生産年月日をＩＤ生成部２２に入力してもよい。
【００２４】
本実施形態において、ＣＭＩＤは、８桁からなるコードであり、生産年月日は、西暦４桁と月日４桁からなる８桁のコードである。これらＣＭＩＤと生産年月日のそれぞれに後述する変換処理を実行した後、Ｎ進数化することで、所望の桁数（本実施形態では１０桁）の捺印ＩＤを生成する。
【００２５】
ＣＭＩＤをＩＤ生成部２２に入力した後、ＣＭＩＤを変則にＮ進数に変換する処理を実行する（ステップＳ１２）。ここで、Ｎは、変換する前のＣＭＩＤの進数より大きい値であり、本実施形態においては、３０とした。
【００２６】
図６は、ＣＭＩＤを変則Ｎ進数化する手順を説明する図である。
まず、ＣＭＩＤの８桁のコード（本実施形態では、一例として、「０１１ＢＥＣ７３」とした。）をＨｅｘ変換することで１６進数にする。その後、ＣＭＩＤを更に３０進数に変換すると、「００ＰＹ４ＭＬ」と７桁のコードとなる。
【００２７】
次に、生産年月日を示すコードを変換する。
図７は、生産年月日を示すコードを示している。例えば、生産年月日が２００６年８月１日の場合には、「２００６０８０１」と８桁のコードに設定する。
【００２８】
図８は生産年月日の年を示すコードの変換を説明する図である。
生産年月日のコードの変換では、年を示すコードの下２桁を変則的に３０進数で２桁に変換する工程（ステップＳ１３）と、月日を示すコードの４桁を変則的に３０進数で２桁に変換する工程（ステップＳ１４）とを行う。ステップＳ１３とステップＳ１４との順番は入れ替えることもできる。
【００２９】
図８に示すように、年の４桁の下２桁である「０６」（図７においてＤ１で示すコード）を抜き出す。また、図６に示すように、３０進数７桁に変換されたＣＭＩＤの第１桁「０」を抜き出す。そして、年の下２桁「０６」に３００を足した数値（３０６）に、「０」に１０進数の１００を乗じた数値（０）を合計する。本実施形態では、合計した値は３０６となる。この合計した値を、再び３０進数に変換し「Ａ６」という２桁の数値を得ることができる。この「Ａ６」を年コードとする。ここで、年の下２桁のコードに３００を足すのは、既存のＱＲコードからの生成ルールと重複させないためであり、こうすることで、先頭の２桁が数値２桁となることを回避することができる。
【００３０】
図９は生産年月日の月日を示すコードの変換を説明する図である。
図７においてＤ２で示す、月日を示す４桁のコード「０８０１」を変換する。まず、「０８０１」を、１月１日を「１」とし、１月２日を「２」、１月３日を「３」、といったように日の順に１づつ大きくなる数値（以下、年日数とする。）を設定する。ここで、「０８０１」は８月１日であるため、年日数は「２１３」となる。この年日数を１０進数から３０進数に変換することで「７３」という２桁の年日数コードに変換する。
【００３１】
そして、本実施形態では、ＣＭＩＤ及び生産年月日をそれぞれ変則的に３０進数化した後、年コード、年日数コード、ＣＭＩＤを組み合わせて所定の桁数の捺印ＩＤを生成する（ステップＳ１５）。
【００３２】
図１０は、捺印ＩＤの構成と組み合わせる手順を説明する図である。
本実施形態では、１０桁の捺印ＩＤを組み合わせ場合を説明する。捺印ＩＤは、コードの左から順に、年コード「Ａ６」と、年日数コード「７３」と、ＣＭＩＤの第２桁目から第７桁目までの６桁分「０ＰＹ４ＭＬ」と、を組み合わせてなる１０桁のコードである。
【００３３】
このように、本実施形態の生成方法によれば、８桁のＣＭＩＤと、８桁の生産年月日を示すコードを、所定の変換を行ったうえで組み合わせることで１０桁のコードとすることができる。
【００３４】
一般的に、コードの所定の数に進数化する場合、アルファベットと数字とが似た形状となるため、捺印ＩＤを画像認識する際に誤認識されやすくなる場合がある。そこで、本実施形態では、一部のアルファベット及び数字を使用しないように設定することで、画像認識の誤認識を回避することができる。図１１は、画像認識の誤認識されやすいアルファベット及び数字を示している。
例えば、「Ｂ」と「８」、「Ｉ」と「１」、「Ｏ（アルファベットのオー）」と「０（数字のゼロ）」、「Ｑ」と「０」及び「９」、「Ｓ」と「５」、「Ｚ」と「２」、は互いに形状が似ていることから捺印ＩＤとして捺印した場合に、画像認識で誤認識されることが多い。そこで、これらのアルファベット及び数字をコードとして使用することを禁止するコード化不可データとしてデータベース２４に予め入力しておくことができる。そして、捺印ＩＤを生成する際には、ＩＤ生成部２２これらコード化不可データを参照し、これらのアルファベット及び数字をしないようなＮ進数化処理を適用し、実行する。こうすることで、画像認識の際に誤認識を回避することができる捺印ＩＤを生成することができる。
【００３５】
本発明にかかる捺印ＩＤの生成システム及び生成方法は、製品に組み込まれたメモリＩＤと、製品の生産日情報とに基づき、捺印ＩＤを生成するものである。捺印ＩＤを生成するため、メモリＩＤ及び生産日情報のコードをそれぞれ同じ所定数で進数化することで、製品の識別情報を表すのに最適な桁数に変換しているため、コードの桁数が制限されたメモリＩＤのみに基づいて捺印ＩＤを生成することが可能である。また、他のＩＤを必要とすることがないため、メモリＩＤの読み込み手段以外の読み込む装置を設ける必要がない。さらに、捺印ＩＤを生成するための基となるＩＤ情報を増加させることがないため、情報処理量の増大を回避することができる。
【００３６】
なお、本発明は、前述した実施形態に限定されるものではなく、適宜な変形、改良などが可能である。
上記実施形態では、捺印ＩＤを捺印する製品の一例として磁気テープカートリッジを適用して説明したが、製品はこれに限定されず、メモリＩＤを有しているものであれば、他の磁気記録媒体以外のカートリッジ製品やその他の製品に適用することができる。
【図面の簡単な説明】
【００３７】
【図１】製品の一例である磁気テープカートリッジの構成を示す図である。
【図２】カートリッジメモリの構成を示す図である。
【図３】捺印ＩＤの生成システムの構成を説明する図である。
【図４】捺印ＩＤの生成方法の手順を示すフローチャートである。
【図５】捺印ＩＤの生成方法の手順を説明する図である。
【図６】ＣＭＩＤを変則Ｎ進数化する手順を説明する図である。
【図７】生産年月日を示すコードを示している。
【図８】生産年月日の年を示すコードの変換を説明する図である。
【図９】生産年月日の月日を示すコードの変換を説明する図である。
【図１０】捺印ＩＤの構成と組み合わせる手順を説明する図である。
【図１１】画像認識の誤認識されやすいアルファベット及び数字を示す図である。
【図１２】製品パッケージに付されるＱＲコードの一例を示す図である。
【図１３】図１２に示すＱＲコードに含まれる製品の情報を説明する図である。
【符号の説明】
【００３８】
１２    ＣＭＩＤ読込装置
１４    ＣＭＩＤ入力部
１６    生産年月日入力部
２２    ＩＤ生成部
２４    データベース
２６    捺印装置
【図１】
2008123405.tif 000003
【図２】
2008123405.tif 000004
【図３】
2008123405.tif 000005
【図４】
2008123405.tif 000006
【図５】
2008123405.tif 000007
【図６】
2008123405.tif 000008
【図７】
2008123405.tif 000009
【図８】
2008123405.tif 000010
【図９】
2008123405.tif 000011
【図１０】
2008123405.tif 000012
【図１１】
2008123405.tif 000013
【図１２】
2008123405.tif 000014
【図１３】
2008123405.tif 000015